(57)【特許請求の範囲】
【請求項１】
竿体の開口部に装着物を螺着するためのネジ部を備えている釣り竿であって、前記開口部における開口端から奥側に向かって第１ネジ部を形成するとともに、その第１ネジ部の更に奥側に第２ネジ部を形成し、前記第１ネジ部を、竿体の軸線方向に沿って引き揃え配置した強化繊維に樹脂を含浸させたプリプレグで形成するとともに、前記第２ネジ部を、竿体の軸線方向とは異なる方向に沿って引き揃え配置した強化繊維に樹脂を含浸させたプリプレグで形成してある釣り竿。
【請求項２】
竿体の開口部に装着物を螺着するためのネジ部を備えている釣り竿であって、前記開口部における開口端から奥側に向かって第１ネジ部を形成するとともに、その第１ネジ部の更に奥側に第２ネジ部を形成し、前記第１ネジ部を、不織布で形成するとともに、前記第２ネジ部を、竿体の軸線方向とは異なる方向に沿って引き揃え配置した強化繊維に樹脂を含浸させたプリプレグで形成してある釣り竿。
【請求項３】
前記第２ネジ部を、その第２ネジ部のネジピッチに沿った状態で引き揃え配置した強化繊維に樹脂を含浸させたプリプレグに形成してある請求項１又は２記載の釣り竿。
【発明の詳細な説明】
【技術分野】
【０００１】
本発明は、竿体の開口部に尻栓等の装着物を螺着する為のネジ部を形成している釣り竿に関する。
【背景技術】
【０００２】
上記した尻栓を元竿等の竿体に螺着するに、元竿の竿尻端開口より一定範囲だけ奥側に入り込むネジ部を形成してある（特許文献１参照）。
【０００３】
【特許文献１】特許第３３２５１８３号（段落番号〔０００６〕、図１、２）
【発明の開示】
【発明が解決しようとする課題】
【０００４】
上記ネジ部を竿体自体に刻設する場合には、竿体を構成しているプリプレグの強化繊維の向きが問題となる。つまり、強化繊維の向きをネジ部におけるネジ溝に沿った状態で配置する場合には、図４に示すように、尻栓等装着物の着脱を繰り返すことによって、元竿等の竿体１の竿尻端部１Ａの開口端１Ｂの内部に形成されている第２ネジ部１ａのネジ山が捲れることがあった。
【０００５】
本発明の目的は、ネジ山の捲れを抑制できる竿体の開口端構造を提供する点にある。
【課題を解決するための手段】
【０００６】
〔構成〕
請求項１に係る発明の特徴構成は、竿体の開口部に装着物を螺着するためのネジ部を備えている釣り竿であって、前記開口部における開口端から奥側に向かって第１ネジ部を形成するとともに、その第１ネジ部の更に奥側に第２ネジ部を形成し、前記第１ネジ部を、竿体の軸線方向に沿って引き揃え配置した強化繊維に樹脂を含浸させたプリプレグで形成するとともに、前記第２ネジ部を、竿体の軸線方向とは異なる方向に沿って引き揃え配置した強化繊維に樹脂を含浸させたプリプレグで形成してある点にあり、その作用効果は次の通りである。
【０００７】
〔作用〕
前記したネジ山の捲れが生ずる原因が、強化繊維の配列方向をネジ山に沿った状態に設定している点にあることをつきとめた。そこで、本願発明においては、強化繊維を竿体の軸線方向に沿って引き揃えた状態に配置したプリプレグに第１ネジ部を刻設してあるので、強化繊維の方向がネジ溝に沿った状態とならず、第１ネジ部が開口端側に設けられたものであっても、ネジ山の捲れ上がりが抑制される。
一方、奥側に強化繊維の方向を竿体の軸線方向とは異なる方向に引き揃え配置したプリプレグ部分に第２ネジ部を刻設してあるので、開口端側に位置すればネジ山の捲れ上がりを生じることもある第２ネジ部を奥側に配置してあるので、ネジ山の捲れ上がりを抑制できる。
【０００８】
〔効果〕
その結果、装着物を螺着する竿体の開口端に、竿体の軸線方向に沿って引き揃えた状態に配置したプリプレグを設けそのプリプレグに第１ネジ部を刻設する、簡単な改造を施すことによって、長期に亘る使用に拘わらずネジ山の捲れ上がりを抑制することができた。
【０００９】
請求項２に係る発明の特徴構成は、竿体の開口部に装着物を螺着するためのネジ部を備えている釣り竿であって、前記開口部における開口端から奥側に向かって第１ネジ部を形成するとともに、その第１ネジ部の更に奥側に第２ネジ部を形成し、前記第１ネジ部を、不織布で形成するとともに、前記第２ネジ部を、竿体の軸線方向とは異なる方向に沿って引き揃え配置した強化繊維に樹脂を含浸させたプリプレグで形成してある点にあり、その作用効果は次の通りである。
【００１０】
〔作用効果〕
前記したネジ山の捲れが生ずる原因が、強化繊維の配列方向をネジ山に沿った状態に設定している点にあることをつきとめた。そこで、本願発明においては、強化繊維が複雑に絡み合った不織布に第１ネジ部を刻設してあるので、強化繊維の方向がネジ溝に沿った状態とならず、第１ネジ部が開口端側に設けられたものであっても、ネジ山の捲れ上がりが抑制される。
一方、奥側に強化繊維の方向を竿体の軸線方向とは異なる方向に引き揃え配置したプリプレグ部分に第２ネジ部を刻設してあるので、開口端側に位置すればネジ山の捲れ上がりを生じることもある第２ネジ部を奥側に配置してあるので、ネジ山の捲れ上がりを抑制できる。
その結果、装着物を螺着する竿体の開口端に、不織布を設ける、簡単な改造を施すことによって、長期に亘る使用に拘わらずネジ山の捲れ上がりを抑制することができた。
【００１１】
請求項３に係る発明の特徴構成は、前記第２ネジ部を、その第２ネジ部のネジピッチに沿った状態で引き揃え配置した強化繊維に樹脂を含浸させたプリプレグに形成してある点にあり、その作用効果は次の通りである。
【００１２】
〔作用効果〕
つまり、第１ネジ部を竿体の開口部に形成することによって、この第１ネジ部によってネジ山の捲れ上がりが抑制される。したがって、第２ネジ部では、第２ネジ部に相応しい構成を採ることができる。そのような構成として、強化繊維の方向としてネジピッチに沿って配置することとした。これによって、第２ネジ部に配置されたプリプレグにネジ山を刻設するとしても、強化繊維がネジ山のネジピッチに沿って配設されているので、強化繊維が切断されることはなく、ネジ山の強度を維持することができる。
【発明を実施するための最良の形態】
【００１３】
〔第１実施形態〕
図１に示すように、竿体としての元竿１の竿尻端部１Ａに、装着物としての尻栓２を螺着して釣り竿を構成してある。
【００１４】
元竿１の竿尻端部１Ａの内周面に、第２、第１ネジ部１ａ、１ｂを形成する構成を説明する。図１及び図２に示すように、竿尻端部１Ａの開口端１Ｂから竿先の奥側に入り込む部分に第１ネジ部としての剥離防止用ネジ部１ｂを形成するとともに、剥離防止用ネジ部１ｂの更に奥側に第２ネジ部１ａを形成してある。
剥離防止用ネジ部１ｂにおいては、竿軸線Ｘ方向に強化繊維ｃを引き揃え配置して樹脂を含浸させたプリプレグを配置して構成してあり、ネジ山が剥離し難いように、強化繊維を軸方向に配置してある。
【００１５】
一方、奥側には、第２ネジ部１ａが形成されており、後記するように、この第２ネジ部１ａにおいては、強化繊維ｃをネジ山のピッチに沿って引き揃え配置され樹脂を含浸させたプリプレグを使用している。
【００１６】
元竿１等の竿体の製作方法を説明する。図２に示すように、マンドレル３に対して補強パターン５を先行して竿尻端部相当位置に巻回する。補強パターン５は、竿尻側に位置する剥離防止用ネジ部用プリプレグ５Ａと竿先側に位置する第２ネジ部用プリプレグ５Ｂとで構成してある。剥離防止用ネジ部用プリプレグ５Ａは第２ネジ部用プリプレグ５Ｂに隣接する状態で巻付けられて、マンドレル３の円周方向に沿った幅も第２ネジ部用プリプレグ５Ｂの幅に比べて狭いものとなっている。
【００１７】
つまり、図２に示すように、剥離防止用ネジ部用プリプレグ５Ａとネジ部用プリプレグ５Ｂとからなる補強パターン５を、先行してマンドレル３に巻付けるとともに、複数層のメインパターン４を巻回して竿素材を構成する。複数層のメインパターン４は、３層構造になっており、内側層のプリプレグ４Ａと外側層のプリプレグ４Ｃを、円周方向に沿って引き揃え配置された強化繊維ｃ群に対して熱硬化性樹脂を含浸させて形成する。中間層のプリプレグ４Ｂを、竿の軸線方向に沿って引き揃え配置された強化繊維ｃ群に対して熱硬化性樹脂を含浸させて形成する。
【００１８】
元竿１を構成するメインパターンのプリプレグとしては、引き揃え配置された強化繊維ｃ群に対して熱硬化性樹脂を含浸させて形成する。強化繊維ｃとしては炭素繊維、又は、ガラス繊維等が使用され、熱硬化性樹脂としてはエポキシやフェノール樹脂等が使用される。
【００１９】
第２ネジ部用プリプレグ５Ｂとしては、強化繊維ｃ群の引き揃え方向を尻栓２の外向きネジ部２ａのリード角θに等しくして、その方向に強化繊維ｃ群を配して樹脂を含浸させて形成されることになる。このような構成によって、第２ネジ部１ａのネジ山が強化繊維ｃを切断することは少なくなる。
【００２０】
メインパターン４を巻回したのちには、所定の手順でプリプレグテープや糸等で巻き締めた後に、成形テープによって形を整えて、焼成し、焼成後成形テープを剥離し、剥離した竿素材の外周面を研磨加工等して竿体を構成する。この研磨加工に前後して、元竿１の竿尻端部の開口内周面に、尻栓２を螺着する為のネジ部１ａ、１ｂを形成する。
【００２１】
〔第２実施形態〕
元竿１の竿尻端部１Ａの外周面に、第２ネジ部１ａを形成する構成を説明する。図３に示すように、竿尻端部１Ａの開口端１Ｂから竿先の奥側に入り込む部分に剥離防止用ネジ部１ｂを形成するとともに、剥離防止用ネジ部１ｂの更に奥側に第２ネジ部１ａを形成してある。
剥離防止用ネジ部１ｂにおいては、竿軸線Ｘ方向に強化繊維ｃを引き揃え配置して樹脂を含浸させたプリプレグを配置して構成してあり、ネジ山が剥離し難いように、強化繊維を配置してあるのは、第１実施形態の場合と同様である。
【００２２】
一方、奥側には、第２ネジ部１ａが形成されており、後記するように、この第２ネジ部１ａにおいては、強化繊維ｃをネジ山のピッチに沿って引き揃え配置され樹脂を含浸させたプリプレグを使用している。
【００２３】
元竿１等の竿体の製作方法を説明する。
この場合は、補強パターン５と複数層のメインパターン４とを使用するのは、第１実施形態の場合と同様であるが、この第２実施形態では竿の外周面にネジを刻設する為に、メインパターン４を先行してマンドレル３に巻回する点で相違する。
【００２４】
〔別実施形態〕
（１）  剥離防止用ネジ部１ｂを構成するに、第１実施形態及び第２実施形態では、竿軸芯方向に沿って強化繊維ｃを配置したプリプレグ５Ａを使用して構成していたが、ここでは、強化繊維ｃを引き沿えたプリプレグではなく、不織布を利用してもよい。この場合は、強化繊維が複雑に絡み合った状態なので、ネジ山が捲れ上がることは少なくなる。
（２）剥離防止用ネジ部１ｂを強化繊維ｃを引き揃えたプリプレグで構成する場合には、その強化繊維ｃの方向をネジ溝に沿った方向に設定しなければよい。
（３）  補強パターン５を設ける必要はなく、メインパターン４Ａに第２ネジ部１ａを形成してもよい。
（４）  上記したような尻栓２の取付構造としては、元竿１の尻栓２に適用するだけでなく、中竿等の竿尻端部に着脱自在に装着する栓体又は石突き等に適用してもよい。
（５）  剥離防止用ネジ部１ｂにおいては、強化繊維ｃを竿の軸芯方向に沿って配置したプリプレグの部分の全長に亘ってネジ山を刻設してあるが、ネジ山を一部設けなくてもよい。つまり、図示してはいないが、開口端１Ｂから奥側に向かって１山分か２山分のネジ山を研削して、取り去ってもよい。この場合にも、強化繊維ｃを竿の軸芯方向に沿って配置したプリプレグにおけるネジ山を形成していた部分が、ネジ山を研削した後にも残っているので、第２ネジ部１ａが捲れ上ることはない。
（６）  剥離防止用ネジ部１ｂにおいて前記した場合には、ネジ山を研削して削り取る構成を採ったが、ここでは、ネジ山の先端部だけを削り取って、ネジ山を台形状にしてもよい。
【図面の簡単な説明】
【００２５】
【図１】（イ）は尻栓を取り外した状態を示し、元竿の竿尻端部の開口端の内周面に第２ネジ部と剥離防止用ネジ部を形成した状態を示す縦断側面図、（ロ）はネジ部の拡大縦断側面図
【図２】図１に示す竿体を製造する状態を示し、マンドレルに補強パターンとメインパターンを巻回する前の状態を示す斜視図
【図３】（イ）は尻栓を取り外した状態を示し、元竿の竿尻端部の開口端の外周面に第２ネジ部と剥離防止用ネジ部を形成した状態を示す縦断側面図、（ロ）はネジ部の拡大縦断側面図
【図４】ネジ山部分が捲れ上がる状態を示す斜視図
【符号の説明】
【００２６】
１                竿体
１ａ              第２ネジ部
１ａ              第１ネジ部
２                尻栓
２ａ              尻栓用ネジ部
【図１】
0004636972.tif 000002
【図２】
0004636972.tif 000003
【図３】
0004636972.tif 000004
【図４】
0004636972.tif 000005